(57)【要約】【課題】  ユニット建物に単一な広々した柱なし空間を形成するとともに、梁なし空間を形成すること。【解決手段】  柱１１と床梁１２と天井梁１３を接合した建物ユニット１０を用いてなるユニット建物１において、相隣る建物ユニット１０のそれぞれに定めた柱梁省略コーナー部をそれら建物ユニット１０の柱省略接合部３０にて互いに突き合せ配置してなるものであり、複数の柱省略接合部３０を有し、それら柱省略接合部３０を単一の柱なし空間１００Ｂに臨ませてなるとともに、相隣る建物ユニット１０のそれぞれに定めた梁省略部をそれら建物ユニット１０の梁省略接合部４０にて互いに並置してなるもの。【選択図】  図４
2006249696.tif 000002
【特許請求の範囲】
【請求項１】
柱と床梁と天井梁を接合した建物ユニットを用いてなるユニット建物において、
相隣る建物ユニットのそれぞれに定めた柱省略コーナー部をそれら建物ユニットの柱省略接合部にて互いに突き合せ配置してなるものであり、
複数の柱省略接合部を有し、それら柱省略接合部を単一の柱なし空間に臨ませてなるとともに、
相隣る建物ユニットのそれぞれに定めた梁省略部をそれら建物ユニットの梁省略接合部にて互いに並置してなることを特徴とするユニット建物。
【請求項２】
前記相隣る建物ユニットの柱省略接合部を含む同一面内で該柱省略コーナー部に交差配置されている各建物ユニットの天井梁を継ぎ天井梁とし、
相隣る建物ユニットの柱省略接合部にて相対する継ぎ天井梁同士を接合してなる請求項１に記載のユニット建物。
【請求項３】
前記複数の柱省略接合部の少なくとも１つを相隣る建物ユニットの外壁面に配置した請求項１又は２に記載のユニット建物。
【請求項４】
前記建物ユニットの柱省略接合部が配置される外壁面を妻側の外壁面とする請求項３に記載のユニット建物。
【発明の詳細な説明】
【技術分野】
【０００１】
本発明はユニット建物に関する。
【背景技術】
【０００２】
従来、特許文献１に記載の如く、柱と床梁と天井梁を接合した建物ユニットを用いてなるユニット建物において、相隣る建物ユニットのそれぞれに定めた柱省略コーナー部を柱省略接合部にて互いに突き合せ配置し、柱を省略した柱なし空間を形成するものがある。
【特許文献１】特開2001-348958
【発明の開示】
【発明が解決しようとする課題】
【０００３】
特許文献１に記載される如くのユニット建物では、柱省略接合部を建物の内側に唯１ヶ所を設けるだけであり、続き間、店舗、集合住宅でのプランニングに制約があった。
【０００４】
また、特許文献１に記載される如くの従来のユニット建物では、柱を省略して柱なし空間を形成するだけであり、建物の天井側に梁を省略した梁なし空間を形成するところがない。
【０００５】
このため、下階建物ユニットから上階建物ユニットに渡る階段を設けるとき、特に建物ユニットの平面視で短辺側となる妻方向に沿って階段を設けるとき、下階建物ユニットの天井梁と上階建物ユニットの床梁が階段の頭上高さを制限する結果、それらの梁の下部に緩勾配階段を設けることができず、階段のレイアウトに制約がある。
【０００６】
また、下階建物ユニットから上階建物ユニットに渡る吹き抜け空間を設けるとき、下階建物ユニットの天井梁と上階建物ユニットの床梁が吹き抜け空間内に出てしまう。
【０００７】
更に、特許文献１に記載される如くの従来のユニット建物では、柱省略接合部を建物の内側に設けるだけであった。このため、ユニット建物の外壁面（特に、建物ユニットの平面視で短辺側となる妻側の外壁面）には、相隣る建物ユニットの柱が密に配置され、大開口を確保できず、玄関入り口、車庫入り口、又は店舗の開口のレイアウトに制約があった。
【０００８】
本発明の課題は、ユニット建物に単一な広々した柱なし空間を形成するとともに、梁なし空間を形成することにある。
【０００９】
本発明の他の課題は、ユニット建物の外壁面に大開口を形成することにある。
【課題を解決するための手段】
【００１０】
請求項１の発明は、柱と床梁と天井梁を接合した建物ユニットを用いてなるユニット建物において、相隣る建物ユニットのそれぞれに定めた柱省略コーナー部をそれら建物ユニットの柱省略接合部にて互いに突き合せ配置してなるものであり、複数の柱省略接合部を有し、それら柱省略接合部を単一の柱なし空間に臨ませてなるとともに、相隣る建物ユニットのそれぞれに定めた梁省略部をそれら建物ユニットの梁省略接合部にて互いに並置してなるようにしたものである。
【００１１】
請求項２の発明は、請求項１の発明において更に、前記相隣る建物ユニットの柱省略接合部を含む同一面内で該柱省略コーナー部に交差配置されている各建物ユニットの天井梁
を継ぎ天井梁とし、相隣る建物ユニットの柱省略接合部にて相対する継ぎ天井梁同士を接合してなるようにしたものである。
【００１２】
請求項３の発明は、請求項１又は２の発明において更に、前記複数の柱省略接合部の少なくとも１つを相隣る建物ユニットの外壁面に配置したものである。
【００１３】
請求項４の発明は、請求項３の発明において更に、前記建物ユニットの柱省略接合部が配置される外壁面を妻側の外壁面とするようにしたものである。
【発明の効果】
【００１４】
（請求項１）
(a)ユニット建物において、複数の柱省略接合部を有し、それら柱省略接合部を単一の
柱なし空間に臨ませた。従って、ユニット建物に、柱に邪魔されない、単一の広々した柱なし空間を形成できる。
【００１５】
(b)また、ユニット建物において、相隣る建物ユニットの梁省略部を互いに並置した梁
省略接合部を設けた。従って、建物の内部に梁なし空間を形成できる。
【００１６】
（請求項２）
(c)相隣る建物ユニットの柱省略接合部にて、各建物ユニットの相対する継ぎ天井梁同
士を接合した。従って、各建物ユニットとは別個の長尺梁を用いることなく、柱省略したユニット建物を補強でき、材料の管理性、施工性が良い。
【００１７】
（請求項３）
(d)ユニット建物において、相隣る建物ユニットの外壁面に柱省略接合部を設けた。従
って、ユニット建物の上記の外壁面に、柱に邪魔されない大開口を形成できる。
【００１８】
（請求項４）
(e)建物ユニットの平面視で短辺側となる妻側の外壁面では、相隣る建物ユニットとの
間で柱を省略しない場合に、特に柱が密になり、開口が小さめになる。従って、相隣る建物ユニットの妻側の外壁面に前述(d)の柱省略接合部を設けることにより、その妻側の外
壁面で大開口を形成できる。
【発明を実施するための最良の形態】
【００１９】
図１は建物ユニット示す模式図、図２はユニット建物の柱省略接合部と梁省略接合部を示す模式図、図３は柱省略接合部の補強構造を示す模式図、図４はユニット建物の１階間取図、図５はユニット建物の２階間取図、図６はユニット建物の１階ブロックパターン図、図７はユニット建物の２階ブロックパターン図、図８は階段を示し、（Ａ）は本発明例を示す模式図、（Ｂ）は従来例を示す模式図、図９は吹き抜け空間を示し、（Ａ）は本発明例を示す模式図、（Ｂ）は参考例を示す模式図、図１０は傾斜屋根を示し、（Ａ）は本発明例を示す模式図、（Ｂ）は参考例を示す模式図である。
【実施例】
【００２０】
本発明はユニット建物１において、柱なし空間と梁なし空間（柱梁なし空間）を形成するプランニングに関するものであるが、最初に、本発明の後述する実施例において用いられる、(A)建物ユニット１０の構成、(B)ユニット建物１の柱省略接合部、（C）ユニット
建物１の梁省略接合部について説明する。
【００２１】
(A)建物ユニット１０の構成（図１）
ユニット建物１は、複数の建物ユニット１０を水平方向と鉛直方向に隣接設置して構築
され、１階建や２階建、更には３階建等の中高層建物をも構築できる。
【００２２】
建物ユニット１０は、図１に示す如く、角鋼管製柱１１と、形鋼製床梁１２と、形鋼製天井梁１３を箱形に接合した骨組構造体である。建物ユニット１０は、柱１１の下端部にジョイントピース１１Ｊを介して床梁１２を溶接し、柱１１の上端部にジョイントピース１３Ｊを介して天井梁１３を溶接して構成される。建物ユニット１０は、床梁１２を省略できる。
【００２３】
建物ユニット１０は、少なくとも１個のコーナー部を柱１１が省略された柱省略コーナー部としてなる柱省略建物ユニット２０Ａに変形できる。柱省略建物ユニット２０Ａは、工場生産段階、建築現場への輸送段階で、柱省略コーナー部に仮柱１４（図３）を着脱できる。
【００２４】
建物ユニット１０は、少なくとも１個の床梁１２及び／又は少なくとも１個の天井梁１３を省略してなる梁省略建物ユニット２０Ｂに変形できる。梁省略建物ユニット２０Ｂは、工場生産段階、建築現場への輸送段階で、梁省略部に仮梁（不図示）を着脱できる。
【００２５】
建物ユニット１０は、少なくとも１個のコーナー部を柱１１が省略された柱省略コーナー部とし、かつ少なくとも１個の床梁１２及び／又は少なくとも１個の天井梁１３を省略してなる、柱省略建物ユニット２０Ａと梁省略建物ユニット２０Ｂを併合した如くの柱梁省略建物ユニット２０Ｃに変形できる。
【００２６】
(B)ユニット建物１の柱省略接合部
ユニット建物１は、その建物内の一部において柱省略建物ユニット２０Ａ（又は柱梁省略建物ユニット２０Ｃでも可）を用い、図２に示す如く、複数個の柱省略建物ユニット２０Ａを隣接設置し、各柱省略建物ユニット２０Ａの柱省略コーナー部を互いに突き合せて柱省略接合部３０を形成できる。
【００２７】
相隣る柱省略建物ユニット２０Ａの柱省略接合部３０を含む同一面内で、それらの柱省略コーナー部に交差配置されている各柱省略建物ユニット２０Ａの天井梁１３を継ぎ天井梁１３Ａとし、相隣る柱省略建物ユニット２０Ａの柱省略接合部３０にて相対する継ぎ天井梁１３Ａ同士を接合する。
【００２８】
このとき、相隣る継ぎ天井梁１３Ａは、図３に示す如く、柱省略コーナー部まで（柱１１の横断面分）延長され、両継ぎ天井梁１３Ａに渡ってそれらの上フランジとウエブとリップの外側に被嵌するＵ字状上外側添板３１と、両継ぎ天井梁１３Ａに渡ってそれらの両フランジの内側に添設される上内側添板３２とともに、高力ボルト３３等でボルト締結され、かつ両継ぎ天井梁１３Ａに渡ってそれらの下フランジとウエブとリップの外側に被嵌するＵ字状下外側添板３４と、両継ぎ天井梁１３Ａに渡ってそれらの下フランジの内側に添設される下内側添板３５とともに、高力ボルト３６等でボルト締結される。
【００２９】
尚、１階柱省略建物ユニット２０Ａの継ぎ天井梁１３Ａは、図３（Ｂ）に示す如く、上フランジと上外側添板３１に貫通設置されるガイドピン３７に２階柱省略建物ユニット２０Ａ（柱省略されない建物ユニット１０でも可）の短柱１１Ａ（柱１１でも可）の端板ガイド孔を嵌通することにて、２階柱省略建物ユニット２０Ａの床梁１２を載せ置きされる。そして、２階柱省略建物ユニット２０Ａの床梁１２は、下フランジと、その内側に添設される座金プレート３７を、前述の高力ボルト３３等で１階柱省略建物ユニット２０Ａの継ぎ天井梁１３Ａに共締めされる。
【００３０】
(C)ユニット建物１の梁省略接合部
ユニット建物１は、その建物内の一部において梁省略建物ユニット２０Ｂ（又は柱梁省略建物ユニット２０Ｃでも可）を用い、図２に示す如く、左右及び／又は上下で相隣る梁省略建物ユニット２０Ｂのそれぞれに定めた梁省略部（床梁省略部、天井梁省略部）を互いに並置して梁省略接合部４０を形成できる。
【００３１】
図４〜図７のユニット建物１は、２階建をなし、上下階とも10個の建物ユニット１０からなり、それらの妻面（建物ユニット１０の平面視で短辺側となる面）を東西向きに配置し、それらの桁面（建物ユニット１０の平面視で長辺側となる面）を南北向きに配置する。
【００３２】
１階では、中央南面寄りの２個の建物ユニット１０を柱梁省略建物ユニット２０Ｃとし、この２個の柱梁省略建物ユニット２０Ｃの東面側の２個の建物ユニット１０を柱省略建物ユニット２０Ａとするとともに、この２個の柱梁省略建物ユニット２０Ｃの西面側の２個の建物ユニット１０を柱省略建物ユニット２０Ａとする。
【００３３】
２階では、中央南面寄りの２個の建物ユニット１０を柱梁省略建物ユニット２０Ｃとし、この２個の柱梁省略建物ユニット２０Ｃの東面側の２個の建物ユニット１０を柱省略建物ユニット２０Ａとする。
【００３４】
ユニット建物１は、１階で、中央北面の建物ユニット１０により玄関１０１を形成し、中央南面寄りの２個の柱梁省略建物ユニット２０Ｃにより、玄関１０１に連なる土間１０２と階段１０３を形成する。また、東面の３個の建物ユニット１０（うち２個は柱省略建物ユニット２０Ａ）によりダイニング及びキッチン１０４を形成する。また、南西寄りの２個の柱省略建物ユニット２０Ａにより和室１０５を形成し、北面寄りの建物ユニット１０と柱省略建物ユニット２０Ａによりサニタリー１０６を形成する。
【００３５】
ユニット建物１は、２階で、中央南面寄りの２個の柱梁省略建物ユニット２０Ｃにより吹き抜け空間１１１を形成する。また、東南寄りの２個の柱省略建物ユニット２０Ａによりライブラリーコーナー１１２を形成し、東北寄りの建物ユニット１０と柱省略建物ユニット２０Ａにより夫寝室１１３を形成する。また、南西寄りの２個の建物ユニット１０により妻寝室１１４を形成し、北西寄りの建物ユニット１０によりサニタリー１１５を形成する。
【００３６】
しかるに、ユニット建物１にあっては、図８（Ａ）に示す如く、１階の２個の柱梁省略建物ユニット２０Ｃが形成する土間１０２と階段１０３の上部に梁省略接合部４０を定め、梁省略接合部４０を梁なし空間１００Ａに臨ませ、この梁なし空間１００Ａにより２階の２個の柱梁省略建物ユニット２０Ｃが形成する吹き抜け空間１１１及び階段上空間１０３Ａを形成する。即ち、１階の２個の柱梁省略建物ユニット２０Ｃの相隣接部で、それらの天井梁１３を省略して天井梁省略部を形成し、２階の２個の柱梁省略建物ユニット２０Ｃの相隣接部で、それらの床梁１２を省略して床梁省略部を形成する。そして、ユニット建物１は、１階の２個の柱梁省略建物ユニット２０Ｃの天井梁省略部と、２階の２個の柱梁省略建物ユニット２０Ｃの床梁省略部を土間１０２、階段１０３の上部に定めた梁省略接合部４０にて左右上下に並置し、土間１０２、階段１０３の上部に梁なし空間１００Ａ（吹き抜け空間１１１と階段上空間１０３Ａ）を形成する。
【００３７】
尚、図８（Ｂ）は階段１０３の上部に下階建物ユニット１０の天井梁１３、上階建物ユニット１０の床梁１２が設けられ、階段１０３の上の頭上高さが低く、頭がぶつかるおそれがあることを示す。
【００３８】
また、ユニット建物１にあっては、図９（Ａ）に示す如く、１階の２個の柱梁省略建物
ユニット２０Ｃと２階の２個の柱梁省略建物ユニット２０Ｃと、それら４個の柱梁省略建物ユニット２０Ｃの東側に相隣接する１階の２個の柱省略建物ユニット２０Ａと２階の２個の柱省略建物ユニット２０Ａの中央会合部に、１階〜２階に渡る柱省略接合部３０を設け、この柱省略接合部３０を梁なし空間１００Ａに連なる柱なし空間１００Ｂに臨ませ、この柱なし空間１００Ｂにより、１階の土間１０２とダイニング及びキッチン１０４を続き間とするとともに、２階のライブラリーコーナー１１２を吹き抜け空間１１１に連続する。即ち、１階柱梁省略建物ユニット２０Ｃの天井梁省略部に交差する柱１１を省略した柱省略コーナー部と、２階柱梁省略建物ユニット２０Ｃの床梁省略部に交差する柱１１を省略した柱省略コーナー部と、１階柱省略建物ユニット２０Ａの柱省略コーナー部と、２階柱省略建物ユニット２０Ａの柱省略コーナー部を柱省略接合部３０にて突き合せ配置するものである。柱省略接合部３０は、土間１０２、吹き抜け空間１１１に臨んで梁省略接合部４０に交差配置するものになる。柱省略接合部３０は、前述図２、図３の如くに補強される。
【００３９】
尚、図９（Ｂ）は、吹き抜け空間１１１の内部に上下階の柱１１、床梁１２、天井梁１３が出るものである。
【００４０】
また、ユニット建物１にあっては、図１０（Ａ）に示す如く、中央南面側の２階の相隣る２個の柱梁省略建物ユニット２０Ｃと、中央北面の建物ユニット１０のそれぞれの上に屋根ユニット１２０を搭載し、それらの傾斜天井屋根１２１を連続形成する。ユニット建物１は、屋根ユニット１２０の傾斜天井屋根１２１の垂れ壁１２１Ａ（建物ユニット１０の天井梁１３に対応して配置される）のうち、柱梁省略建物ユニット２０Ｃの梁省略接合部４０の上に位置することとなる垂れ壁１２１Ａを省略してある。図１０（Ａ）において、５０は垂れ壁省略部である。
【００４１】
尚、図１０（Ｂ）は、屋根ユニット１２０の傾斜天井屋根１２１の垂れ壁１２１Ａを柱梁省略建物ユニット２０Ｃの梁省略接合部４０の上に配置したものである。
【００４２】
更に、ユニット建物１にあっては、１階の２個の柱梁省略建物ユニット２０Ｃと、それら２個の柱梁省略建物ユニット２０Ｃの西側に相隣接する１階の２個の柱省略建物ユニット２０Ａの中央会合部に、柱省略接合部３０を設け、この柱省略接合部３０を梁なし空間１００Ａに連なる柱なし空間１００Ｂに臨ませ、この柱なし空間１００Ｂにより、１階の土間１０２と和室１０５を続き間とする。即ち、１階柱梁省略建物ユニット２０Ｃの天井梁省略部に交差する柱１１を省略した柱省略コーナー部と、１階柱省略建物ユニット２０Ａの柱省略コーナー部とを柱省略接合部３０にて突き合せ配置するものである。柱省略接合部３０は、土間１０２、和室１０５に臨んで梁省略接合部４０に交差配置するものになる。柱省略接合部３０は、前述図２、図３の如くに補強される。
【００４３】
また、ユニット建物１にあっては、１階の西面側の２個の柱省略建物ユニット２０Ａの妻側の外壁面側会合部に柱省略接合部３０を設ける。即ち、柱省略接合部３０を相隣る柱省略建物ユニット２０Ａの妻側外壁面に配置し、この柱省略接合部３０が臨む柱なし空間１００Ｂに、和室１０５の西面大開口１０５Ａが形成される。
【００４４】
本実施例によれば以下の作用効果を奏する。
(a)ユニット建物１において、複数の柱省略接合部３０を有し、それら柱省略接合部３
０を単一の柱なし空間１００Ｂに臨ませた。従って、ユニット建物１に、柱１１に邪魔されない、単一の広々した柱なし空間１００Ｂを形成できる。
【００４５】
(b)また、ユニット建物１において、相隣る建物ユニット２０Ｃの梁省略部を互いに並
置した梁省略接合部４０を設けた。従って、建物の内部に梁なし空間１００Ａを形成でき
る。
【００４６】
(c)相隣る建物ユニット２０Ａ、２０Ｃの柱省略接合部３０にて、各建物ユニット２０
Ａ、２０Ｃの相対する継ぎ天井梁１３Ａ同士を接合した。従って、各建物ユニット２０Ａ、２０Ｃとは別個の長尺梁を用いることなく、柱省略したユニット建物１を補強でき、材料の管理性、施工性が良い。
【００４７】
(d)ユニット建物１において、相隣る建物ユニット２０Ａの外壁面に柱省略接合部３０
を設けた。従って、ユニット建物１の上記の外壁面に、柱１１に邪魔されない大開口１０５Ａを形成できる。
【００４８】
(e)建物ユニット２０Ａの平面視で短辺側となる妻側の外壁面では、相隣る建物ユニッ
トとの間で柱１１を省略しない場合に、特に柱１１が密になり、開口が小さめになる。従って、相隣る建物ユニットの妻側の外壁面に前述(d)の柱省略接合部３０を設けることに
より、その妻側の外壁面で大開口１０５Ａを形成できる。
【００４９】
(f)１階建物ユニット２０Ｃの天井梁省略部と２階建物ユニット２０Ｃの床梁省略部を
階段１０３の上部に配置した。従って、階段１０３の頭上高さを制限する梁がなくなり、緩勾配階段１０３を設けることができる。緩勾配階段１０３を建物の妻方向に沿って設けたり、建物の中央に配置でき、間取りレイアウトの自由度を向上できる。
【００５０】
(g)１階建物ユニット２０Ｃの天井梁省略部と２階建物ユニット２０Ｃの床梁省略部を
吹き抜け空間１１１の内部に配置した。従って、梁のない美しい吹き抜け空間１１１を形成できる。
【００５１】
(h)建物ユニット２０Ｃの天井梁省略接合部４０の上に位置する、屋根ユニット１２０
の垂れ壁１２１Ａを省略したから、建物ユニット２０Ｃの梁なし空間１００Ａの上部で垂れ壁１２１Ａもなくし、美しい傾斜天井屋根１２１を形成できる。
【００５２】
(i)建物ユニット２０Ｃの梁省略部に交差する柱１１も省略することにより、建物の内
部に柱１１と梁１２、１３のない左右上下に広々した空間を形成できる。即ち、広々した階段上空間１０３Ａや吹き抜け空間１１１を形成できる。
【００５３】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００５４】
【図１】図１は建物ユニット示す模式図である。
【図２】図２はユニット建物の柱省略接合部と梁省略接合部を示す模式図である。
【図３】図３は柱省略接合部の補強構造を示す模式図である。
【図４】図４はユニット建物の１階間取図である。
【図５】図５はユニット建物の２階間取図である。
【図６】図６はユニット建物の１階ブロックパターン図である。
【図７】図７はユニット建物の２階ブロックパターン図である。
【図８】図８は階段を示し、（Ａ）は本発明例を示す模式図、（Ｂ）は従来例を示す模式図である。
【図９】図９は吹き抜け空間を示し、（Ａ）は本発明例を示す模式図、（Ｂ）は参考例を示す模式図である。
【図１０】図１０は傾斜屋根を示し、（Ａ）は本発明例を示す模式図、（Ｂ）は参考例を示す模式図である。
【符号の説明】
【００５５】
１  ユニット建物
１０、２０Ａ、２０Ｂ、２０Ｃ  建物ユニット
１１  柱
１２  床梁
１３  天井梁
１３Ａ  継ぎ天井梁
３０  柱省略接合部
４０  梁省略接合部
１００Ａ  梁なし空間
１００Ｂ  柱なし空間
【図１】
2006249696.tif 000003
【図２】
2006249696.tif 000004
【図３】
2006249696.tif 000005
【図４】
2006249696.tif 000006
【図５】
2006249696.tif 000007
【図６】
2006249696.tif 000008
【図７】
2006249696.tif 000009
【図８】
2006249696.tif 000010
【図９】
2006249696.tif 000011
【図１０】
2006249696.tif 000012